(57)【特許請求の範囲】
【請求項１】
電動機の回転軸に圧入固定されているとともにディスクが載置される載置部が形成されているターンテーブルと、該ターンテーブルの載置部の裏面に形成されている係合部によるかしめにより該ターンテーブルと一体的に回転するべく取り付けられているとともにマグネットが固着されているローターとより成り、電動機を構成する電動機基板が取り付けられる取付基板に前記ローターの周縁に沿ったリブ部を形成するとともにローターの上方に該リブ部の上端を折曲させた抜け止め部を設けたことを特徴とするディスクプレーヤーのターンテーブル駆動装置。
【請求項２】
抜け止め部を複数設けたことを特徴とする請求項１に記載のターンテーブル駆動装置。
【請求項３】
電動機基板を取付基板に対する傾きを調整可能に取り付けたことを特徴とする請求項１に記載のターンテーブル駆動装置。
【発明の詳細な説明】
【０００１】
【発明の属する技術分野】
本発明は、ディスクプレーヤーに関し、特にディスクを回転駆動するターンテーブル駆動装置に係る。
【０００２】
【従来の技術】
光学式ピックアップを用いてディスクに記録されている信号の読み取り動作を行うように構成された光学式ディスクプレーヤーが普及しているが、斯かるディスクプレーヤーは、ディスクが載置されるとともに該ディスクを回転させるターンテーブルを備えている。
【０００３】
光学式ディスクプレーヤーの代表的なものとしては、ＣＤプレーヤーが一般に良く知られているが、斯かるＣＤプレーヤーの中には、ヘッドフォンによって再生音を聴取するように構成されたヘッドフォンステレオ型のポータブルＣＤプレーヤーがある。また、最近ではコンピューターと組み合わせて使用するＣＤ−ＲＯＭプレーヤーが普及している。
【０００４】
前述したヘッドフォンステレオ型のポータブルＣＤプレーヤーやパーソナルコンピューターの内部に組み込まれるＣＤ−ＲＯＭプレーヤーは、装置本体の小型化、特に薄型化が要求されている。
【０００５】
【発明が解決しようとする課題】
従来のターンテーブル駆動装置は、電動機の回転軸に該電動機とは別に設けられているターンテーブルを圧入固定し、電動機の回転駆動動作によってターンテーブルを回転させるように構成されている。そのため、電動機とターンテーブルとの間には、隙間が設けられることになり、薄型化には限界があった。斯かる点を改良する方法として、ターンテーブルを電動機を構成するローターの一部として使用するようにしたものがある。このようにすることによって、駆動装置の小型化を行うことが出来るが、さらに薄型化や軽量化を行うために取付基板等の厚さを薄くすることが行われている。取付基板等を薄くした場合、その強度が低下するため、剛性が低下し、基板が変形したり、ディスクの回転特性が悪化するという問題がある。
【０００６】
本発明は、斯かる問題を解決したディスクプレーヤーのターンテーブル駆動装置を提供しようとするものである。
【０００７】
【課題を解決するための手段】
本発明のターンテーブル駆動装置は、電動機の回転軸に圧入固定されているとともにディスクが載置される載置部が形成されているターンテーブルと、該ターンテーブルの載置部の裏面に形成されている係合部によるかしめにより該ターンテーブルと一体的に回転するべく取り付けられているとともにマグネットが固着されているローターと、電動機を構成する電動機基板が取り付けられる取付基板の前記ローターの周縁に沿った位置に形成されたリブ部と、該リブ部に形成されているとともにローターの上方に配置された抜け止め部とより構成されている。
【０００８】
【実施例】
図１は本発明のターンテーブル駆動装置を示す要部の正面断面図、図２は本発明のターンテーブル駆動装置を示す要部の平面図である。
【０００９】
図において、１は電動機の駆動回路が組み込まれている電動機基板であり、駆動コイル２を支持する支持部材３が固定されている。４は電動機を構成する回転軸であり、前記支持部材３に固着されている軸受５及び６等によって回転可能に支持されている。７は前記回転軸４に圧入固定されるとともに金属にて成形されているターンテーブルであり、ディスクＤが載置される載置部８が形成されているとともに前記回転軸４が圧入される圧入部９は該載置部８の上面より上方へ延長して形成されている。
【００１０】
１０は前記ターンテーブル７に形成されている圧入部９に圧入されることによって該ターンテーブル７と一体的に回転するべく取り付けられるとともにディスクＤに形成されている中心孔と嵌合し該ディスクＤの位置決めをするセンタリング部材、１１は前記ターンテーブル７の載置部８の下面に形成されている係合部１２によるかしめによって該ターンテーブル７と一体的に回転するべく取り付けられているローターであり、リング状のマグネット１３が内面側に接着固定されている。
【００１１】
１４は前記電動機基板１が取り付けられる固定ポスト１５、１６、１７が固装されているとともに金属材料にて製造されている取付基板、１８及び１９は前記電動機基板１を前記固定ポスト１５及び１６に締め付け固定するネジ、２０及び２１は前記固定ポスト１５及び１６に遊嵌されているコイルスプリングであり、前記電動機基板１を矢印Ａ方向へ付勢する作用を有している。また、図示していないが固定ポスト１７に対しても同様にコイルスプリングが遊嵌されているとともにネジによる電動機基板１の取付が行われている。
【００１２】
２２は図２に示すように電動機を構成するローター１１の周縁に沿うように前記取付基板１４に絞り立ち上げ加工にて形成されているリブ部、２２Ａ及び２２Ｂは前記リブ部２２の上端を折曲させた抜け止め部であり、前記ローター１１の上方に位置するように設けられている。
【００１３】
斯かる構成において、図示していないが、ディスクＤをターンテーブル７上に載置させた状態にあるときには、チャッキング装置の働きによって該ディスクＤは前記ターンテーブル７上に保持された状態になるように構成されている。
【００１４】
図１に示した状態は、ディスクＤをターンテーブル７上に載置した状態を示すものであり、該ディスクＤはチャッキング装置によって該ターンテーブル７上に保持された状態にある。斯かる状態にあるとき、電動機の回転軸４の回転動作によるターンテーブル７の回転駆動動作によってディスクＤを回転させることが出来る。
【００１５】
また、斯かる状態において、ターンテーブル７上からのディスクＤの取り外し操作やディスクプレーヤーに加わる衝撃等によってターンテーブル７が矢印Ｂ方向、即ち上方への変位力を受けると該ターンテーブル７が圧入固定されている電動機の回転軸４も上方への変位力を受けるので、該回転軸４は上方へ変位せしめられる。前記回転軸４が上方へ変位するとローター１１も上方へ変位せしめられるが、斯かる変位動作が行われると、該ローター１１の上面が抜け止め部２２Ａ及び２２Ｂに当接するため、それ以上の変位が阻止される。従って、ターンテーブル７が回転軸４とともに上方へ抜けることを防止することが出来る。
【００１６】
そして、電動機を構成する電動機基板１はネジ１８、１９等によって取付基板１４に固装されている固定ポスト１５、１６、１７に固定されているが、コイルスプリング２０、２１等によって矢印Ａ方向へ常時付勢された状態にあるため、ネジ１８、１９等を締め付け方向又は緩める方向へ回すことによって前記電動機基板１の取付基板１４に対する傾きを調整することが出来る。電動機基板１の取付基板１４に対する傾きが変化すると電動機の回転軸４の角度が変化するため、ターンテーブル７の傾きが変化することになり、ディスクＤより信号の読み出し動作を行う光学式ピックアップ（図示せず）より照射されるレーザー光の光軸とディスクＤの信号面との関係が最良になるように調整することが出来る。
【００１７】
尚、本実施例では、リブ部２２に２つの抜け止め部を設けたが、その数は限定されるものではない。
【００１８】
【発明の効果】
本発明のターンテーブル駆動装置は、電動機を構成する電動機基板が取り付けられる取付基板の電動機のローターの周縁に沿った位置にリブ部を形成するとともに該リブ部に抜け止め部を形成したので、ターンテーブルが回転軸とともに上方へ抜け出ることを防止することが出来る。そして、本発明は、取付基板に電動機のローターの周縁に沿ったリブ部を形成したので、取付基板の厚さが薄くても強度を上げることが出来、その結果、基板の変形を防止することが出来るとともにディスクの回転特性を向上させることが出来る。
【００１９】
また、本発明はリブ部に形成される抜け止め部を複数設けたので、ターンテーブルの上方への変位を複数の箇所にて阻止することになり、その結果一箇所にて阻止する場合に比較して変位力を分散して吸収することが出来るので、損傷を防止することが出来る。
【００２０】
そして、本発明は、電動機基板を取付基板に対する傾きを調整可能になるように構成したので、ディスクと光学式ピックアップより照射されるレーザー光の光軸との関係を最良の状態に調整することが出来るという利点を有している。
【図面の簡単な説明】
【図１】本発明のターンテーブル駆動装置を示す要部の正面断面図である。
【図２】本発明のターンテーブル駆動装置を示す要部の平面図である。
【符号の説明】
１        電動機基板
３        支持部材
４        回転軸
７        ターンテーブル
８        載置部
１０        センタリング部材
１１        ローター
１２        係合部
１３        マグネット
１４        取付基板
２２        リブ部
２２Ａ、２２Ｂ        抜け止め部
【図１】
0003619709.tif 000002
【図２】
0003619709.tif 000003